(57)【特許請求の範囲】
【請求項１】
回線から呼出信号を受信する受信手段と、
第１インピーダンスを有する第１の捕捉手段によって捕捉した回線の回線電流を検知する検知手段と、
前記検知手段によって検知された前記回線電流が第１閾値以下となる状態が一定時間を超えたか否かを判定する判定手段と、
前記第１の捕捉手段によって回線を捕捉した後、前記判定手段によって前記検知手段によって検知された前記回線電流が第１閾値以下となる状態が一定時間を超えたと判定されると、前記第１インピーダンスよりも低い第２インピーダンスを有する第２の捕捉手段によって回線を捕捉させる制御手段と
を備えることを特徴とする通信装置。
【請求項２】
前記制御手段は、
前記判定手段によって前記検知手段によって検知された前記回線電流が第１閾値以下となる状態が一定時間を超えたと判定されると、前記第１の捕捉手段によって捕捉している回線を開放させることを特徴とする請求項１に記載の通信装置。
【請求項３】
前記制御手段は、
前記検知手段によって前記第１閾値よりも高い第２閾値以上の前記回線電流を検知すると、前記第１の捕捉手段によって捕捉している回線を開放させることを特徴とする請求項１又は２に記載の通信装置。
【請求項４】
前記捕捉手段は、
前回の回線捕捉において前記判定手段によって前記検知手段によって検知された前記回線電流が第１閾値以下となる状態が一定時間を超えたと判定された場合に、前記第１インピーダンスより低く、前記第２インピーダンスより高い第３インピーダンスを有する第３の捕捉手段によって回線を捕捉することを特徴とする請求項２に記載の通信装置。
【請求項５】
前記制御手段は、前回の回線捕捉において前記検知手段によって前記第１閾値よりも高い第２閾値以上の前記回線電流を検知した場合に、前記呼出信号の受信に応じて、前記第１インピーダンスよりも高い第４インピーダンスを有する第４の捕捉手段によって回線を捕捉させることを特徴とする請求項３に記載の通信装置。
【請求項６】
前記通信装置は、ファクシミリ装置であり、
前記制御手段は、
前記判定手段によって前記検知手段によって検知された前記回線電流が前記第１閾値以下となる状態が一定時間を超えたと判定された場合であっても、前記ファクシミリ装置がＶｏＩＰアダプタに接続されている場合に、前記第１インピーダンスを有する前記第１の捕捉手段の使用を維持することを特徴とする請求項１乃至５の何れか１項に記載の通信装置。
【請求項７】
回線から呼出信号を受信する受信手段と、
第１インピーダンスを有する第１の捕捉手段によって捕捉した回線の回線電圧を検知する検知手段と、
前記検知手段によって検知された前記回線電圧が第１閾値以下となる状態が一定時間を超えたか否かを判定する判定手段と、
前記第１の捕捉手段によって回線を捕捉した後、前記判定手段によって前記検知手段によって検知された前記回線電圧が第１閾値以下となる状態が一定時間を超えたと判定されると、前記第１インピーダンスよりも低い第２インピーダンスを有する第２の捕捉手段によって回線を捕捉させる制御手段と
を備えることを特徴とする通信装置。
【請求項８】
前記制御手段は、
前記判定手段によって前記検知手段によって検知された前記回線電圧が第１閾値以下となる状態が一定時間を超えたと判定されると、前記第１の捕捉手段によって捕捉している回線を開放させることを特徴とする請求項７に記載の通信装置。
【請求項９】
前記制御手段は、
前記検知手段によって前記第１閾値よりも高い第２閾値以上の前記回線電圧を検知すると、前記第１の捕捉手段によって捕捉している回線を開放させることを特徴とする請求項７又は８に記載の通信装置。
【請求項１０】
前記捕捉手段は、
前回の回線捕捉において前記判定手段によって前記検知手段によって検知された前記回線電圧が第１閾値以下となる状態が一定時間を超えたと判定された場合に、前記第１インピーダンスより低く、前記第２インピーダンスより高い第３インピーダンスを有する第３の捕捉手段によって回線を捕捉することを特徴とする請求項８に記載の通信装置。
【請求項１１】
前記制御手段は、前回の回線捕捉において前記検知手段によって前記第１閾値よりも高い第２閾値以上の前記回線電圧を検知した場合に、前記呼出信号の受信に応じて、前記第１インピーダンスよりも高い第４インピーダンスを有する第４の捕捉手段によって回線を捕捉させることを特徴とする請求項９に記載の通信装置。
【請求項１２】
前記通信装置は、ファクシミリ装置であり、
前記制御手段は、
前記判定手段によって前記検知手段によって検知された前記回線電圧が第１閾値以下となる状態が一定時間を超えたと判定された場合であっても、前記ファクシミリ装置がＶｏＩＰアダプタに接続されている場合に、前記第１インピーダンスを有する前記第１の捕捉手段の使用を維持することを特徴とする請求項７乃至１１の何れか１項に記載の通信装置。
【請求項１３】
回線から呼出信号を受信する受信ステップと、
第１インピーダンスを有する第１の捕捉手段によって捕捉した回線の回線電流を検知する検知ステップと、
前記検知ステップで検知された前記回線電流が第１閾値以下となる状態が一定時間を超えたか否かを判定する判定ステップと、
前記第１の捕捉手段によって回線を捕捉した後、前記判定ステップで前記検知ステップで検知された前記回線電流が第１閾値以下となる状態が一定時間を超えたと判定されると、前記第１インピーダンスよりも低い第２インピーダンスを有する第２の捕捉手段によって回線を捕捉させる制御ステップと
を実行することを特徴とする通信装置の制御方法。
【請求項１４】
回線から呼出信号を受信する受信ステップと、
第１インピーダンスを有する第１の捕捉手段によって捕捉した回線の回線電圧を検知する検知ステップと、
前記検知ステップで検知された前記回線電圧が第１閾値以下となる状態が一定時間を超えたか否かを判定する判定ステップと、
前記第１の捕捉手段によって回線を捕捉した後、前記判定ステップで前記検知ステップで検知された前記回線電圧が第１閾値以下となる状態が一定時間を超えたと判定されると、前記第１インピーダンスよりも低い第２インピーダンスを有する第２の捕捉手段によって回線を捕捉させる制御ステップと
を実行することを特徴とする通信装置の制御方法。
【請求項１５】
請求項１３または１４に記載の通信装置の制御方法における各ステップをコンピュータに実行させるためのプログラム。
【発明の詳細な説明】
【技術分野】
【０００１】
本発明は、通信装置、その制御方法、及びプログラムに関するものである。
【背景技術】
【０００２】
現行のファクシミリ装置は、ＰＢＸ（Private Branch Exchange）に接続される場合もあるが、そのほとんどは公衆回線網（以下、ＰＳＴＮ（Public Switched Telephone Network）と称する。）に接続される。ＰＳＴＮに接続されるファクシミリ装置やＰＳＴＮ側の交換機として導入される装置には、所定の技術基準に適合するように、厳しい管理が行われている。一方で、近年では、ＤＳＬ（Digital Subscriber Line）回線や光回線等の広帯域な伝送路を有するＩＰネットワークを使用して音声データを送受信する、ＶｏＩＰ（Voice Over Internet Protocol）と称される技術が普及してきている。
【０００３】
上述のようなＰＳＴＮ用の通信装置（以下、ファクシミリ装置を例に説明する。）をＩＰネットワークに対して接続し、当該通信装置に接続された電話機でＶｏＩＰを使用して音声通信を行う場合には、以下のような問題がある。例えば、当該装置から出力される音声信号を、ＩＰネットワークに適合した形式の信号に変換するインタフェースとして機能するアダプタが必要となる。このようなアダプタは、一般的にＶｏＩＰアダプタという名称で呼ばれている。ファクシミリ装置に接続されるアダプタは、ＰＳＴＮに接続されることは無いため、ＰＳＴＮに接続するために必要とされる所定の技術基準を満たす必要はない。
【０００４】
回線側から呼び出し信号（以下、ＣＩ（Call Indicator）信号と称する。）がファクシミリ装置に送られてくると、このＣＩ信号を検知したファクシミリ装置が自動又はユーザによる手動の操作によりオフフック状態となる。このオフフック状態とは、直流的に５０オームから５００オーム程度の低いインピーダンスで回線を捕捉することである。特許文献１には、外付電話機のオフフックを検出すると、回線を直流捕捉するために、低いインピーダンスに切り替える通信端末装置が提案されている。また、この直流抵抗も複数種類の中から切り替え可能である。
【先行技術文献】
【特許文献】
【０００５】
【特許文献１】特開２０１０−１７１７６５号公報
【発明の概要】
【発明が解決しようとする課題】
【０００６】
しかしながら、従来技術には以下に記載する問題がある。通常、回線上に配される交換機は、オフフック状態を検知すると、当該ＣＩ信号の送出を停止する。ところが、近年、このＣＩ信号の送出をすぐに停止しないＶｏＩＰアダプタが市場に出現してきた。このＶｏＩＰアダプタに接続されたファクシミリ装置は、オフフック後、本来は、停止されているはずの当該ＣＩ信号（以下、残留ＣＩ信号と称する。）を一定時間受け続けることになる。この残留ＣＩ信号は、国内の場合は、約７５Ｖｒｍｓ程度である。したがって、上記従来技術のように、ファクシミリ装置が低いインピーダンスで直流捕捉した状態で、この残留ＣＩ信号を受けると、直流捕捉回路及びその周辺の回路に対するダメージが大きく、故障の原因になる可能性もある。例えば、上記従来技術では、残留ＣＩ信号からの保護のために、交換機がオフフック状態と判断される範囲の中で、直流抵抗を切り替えるという概念がない。したがって、直流捕捉した後に、この残留ＣＩ信号が長時間続くと、その影響で、直流捕捉回路並びにその周辺回路がダメージを受け、故障の原因になる可能性がある。
【０００７】
本発明は、上述の問題に鑑みて成されたものであり、通信に最適なインピーダンスでの直流捕捉を行うとともに、残留ＣＩ信号から回路を保護し、通信の信頼性を確保する通信装置、その制御方法、及びプログラムを提供することを目的とする。
【課題を解決するための手段】
【０００８】
本発明は、通信装置として実現できる。通信装置は、回線から呼出信号を受信する受信手段と、第１インピーダンスを有する第１の捕捉手段によって捕捉した回線の回線電流を検知する検知手段と、前記検知手段によって検知された前記回線電流が第１閾値以下となる状態が一定時間を超えたか否かを判定する判定手段と、前記第１の捕捉手段によって回線を捕捉した後、前記判定手段によって前記検知手段によって検知された前記回線電流が第１閾値以下となる状態が一定時間を超えたと判定されると、前記第１インピーダンスよりも低い第２インピーダンスを有する第２の捕捉手段によって回線を捕捉させる制御手段とを備えることを特徴とする通信装置。また、通信装置は、回線から呼出信号を受信する受信手段と、第１インピーダンスを有する第１の捕捉手段によって捕捉した回線の回線電圧を検知する検知手段と、前記検知手段によって検知された前記回線電圧が第１閾値以下となる状態が一定時間を超えたか否かを判定する判定手段と、前記第１の捕捉手段によって回線を捕捉した後、前記判定手段によって前記検知手段によって検知された前記回線電圧が第１閾値以下となる状態が一定時間を超えたと判定されると、前記第１インピーダンスよりも低い第２インピーダンスを有する第２の捕捉手段によって回線を捕捉させる制御手段とを備えることを特徴とする。
【発明の効果】
【０００９】
本発明は、通信に最適なインピーダンスでの直流捕捉を行うとともに、残留ＣＩ信号から回路を保護し、通信の信頼性を確保する通信装置、その制御方法、及びプログラムを提供できる。
【図面の簡単な説明】
【００１０】
【図１】第１の実施形態に係るファクシミリ装置の構成例を示すブロック図である。
【図２】ＤＣ−ＶＩ特性の一例を示す図である。
【図３】ＤＣ−ＶＩ特性の一例を示す図である。
【図４】第１の実施形態に係るファクシミリ装置の処理手順を示すフローチャートである。
【図５】回線からのＣＩ信号と、回線捕捉制御のタイミングとを示す図である。
【図６】回線補足後に、電流又は電圧が閾値を超え回線開放する場合の図である。
【図７】残留ＣＩ信号が無くならず、回線開放するまでの様子を示す図である。
【図８】第２の実施形態に係る説明図である。
【図９】第２の実施形態に係るファクシミリ装置の処理手順を示すフローチャートである。
【図１０】第３の実施形態に係るファクシミリ装置の処理手順を示すフローチャートである。
【図１１】第４の実施形態に係るファクシミリ装置の処理手順を示すフローチャートである。
【図１２】第５の実施形態に係るファクシミリ装置の処理手順を示すフローチャートである。
【図１３】ＤＣ−ＶＩ特性の一例を示す図である。
【図１４】ＤＣ−ＶＩ特性の一例を示す図である。
【発明を実施するための形態】
【００１１】
以下、本発明を実施するための形態について図面を用いて説明する。尚、以下の実施形態は特許請求の範囲に係る発明を限定するものでなく、また実施形態で説明されている特徴の組み合わせの全てが発明の解決手段に必須のものとは限らない。
【００１２】
＜第１の実施形態＞
＜ファクシミリ装置の全体構成＞
以下では、図１乃至図７を参照して、本発明における第１の実施形態について説明する。まず、図１を参照して、本実施形態に係る通信装置（ここでは、ファクシミリ装置を一例に説明する。）１００のブロック構成について説明する。システム・オン・チップ（ＳＯＣ）１０１は、ファクシミリ装置１００のシステム全体を統括的に制御する。ファクシミリ装置１００におけるＣＰＵは、ＳＯＣ１０１上に実装されている。ＳＯＣ１０１に接続されたメモリ１４０は、主記憶装置であり、ＳＯＣ１０１のＣＰＵのシステムワークメモリ、本発明に係る処理を実行するための制御プログラムを格納するメモリとして機能する。また、メモリ１４０は、ファクシミリ送信又はファクシミリ受信等の際に、画像データや各種情報を一時的に記憶するためのメモリとしても機能する。また、メモリ１４０は、ユーザが設定した情報を格納する。
【００１３】
ＳＯＣ１０１には、さらに、操作パネル１１８、読取部１２１、記録部１２２、及びインタフェース（ＩＦ）部１２３が接続されている。操作パネル１１８は、表示器１１９及びキー類１２０を備え、これらはユーザ・インタフェースとして機能する。表示器１１９は、装置の状態やメニューに関する表示を行う。また、キー類１２０は、ユーザからの各種の指示の入力を受け付けるボタンやテンキー等のキーボードである。ユーザがこれらのキーを用いて、ユーザ設定情報を入力することが可能である。
【００１４】
読取部１２１は、原稿から画像を読み取って、画像データを生成する。生成された画像データは、通信回線１３０を介して相手側装置に対してファクシミリ送信されてもよいし、記録部１２２で記録媒体へ印刷されてもよい。インタフェース（ＩＦ）部１２３は、各種の情報機器が外部から接続される場合のインタフェースとして機能する。モデム１０２は、ＳＯＣ１０１に接続されており、ＳＯＣ１０１による制御に基づいて動作する変復調器である。具体的には、モデム１０２は、ファクシミリ送信の対象となる、読取部１２１で読み取られた画像データを用いた変調処理と、通信回線１３０を介して受信した信号の復調処理を行う。モデム１０２は、絶縁素子１０３を介してＳＤＡＡ（即ち、シリコンＤＡＡ）１０４と接続されている。
【００１５】
ＳＤＡＡ１０４は、網制御手段の一例であって、半導体ＮＣＵ（ネットワーク制御ユニット）である。ＳＤＡＡ１０４は、通信回線１３０と接続されており、ファクシミリ装置１００と外部の公衆回線（通信回線）１３０とのインタフェースとして機能する網制御装置である。また、ＳＤＡＡ１０４は、通信回線１３０を介して相手側装置との間で通信を行う際に、回線の接続（捕捉）状態を制御する。通信回線１３０には、ファクシミリ装置１００に接続端子（接続部）１２９を介して外付けされた電話機１２８も接続される。電話機１２８は、接続端子１２９、Ｈリレー１１０を介して通信回線１３０に接続されており、ＳＤＡＡ１０４は、電話機１２８と並列に通信回線１３０に接続されている。ＳＤＡＡ１０４は、ファクシミリ送受信を行う場合に、回線を捕捉してその通信を制御するだけでなく、電話機１２８が通信回線１３０を介して相手側装置との間で音声通信を行う場合にも、回線の捕捉状態を制御する。ＳＤＡＡ１０４は、これらの制御をＳＯＣ１０１の制御に基づいて実行する。
【００１６】
ＳＤＡＡ１０４は、回線捕捉部１０５を使用して回線の直流捕捉状態を制御する。この回線捕捉部１０５により直流捕捉される場合の直流インピーダンスは可変である。このインピーダンスは、予め設定された、直流的な電圧に対する電流特性（以下、ＤＣ−ＶＩ特性と称する。）により制御されることにより得られる。
【００１７】
電圧検知部１５０は、回線上の電圧をモニタする。電流検知部１５１は、回線上の電流をモニタする。直流捕捉回路１５２は、トランジスタなどにより構成されるＳＤＡＡ１０４の周辺回路であり、直流捕捉を行いながら、ＳＤＡＡ１０４の制御で直流インピーダンスの調整を行うことに供される回路である。回線開放状態を作り出したり、回線に対する選択信号の１種であるダイヤルパルス送出にも使用される。
【００１８】
整流回路１５５は、ダイオードブリッジ等からなり、回線からの信号を整流してＳＤＡＡ１０４側へと伝える。受信ＩＦ回路１５３は、通信回線１３０を介して受信されるファクシミリの受信信号などを受信するためのインターフェース回路である。交流インピーダンス整合回路１５４は、例えば、日本の場合は、交流インピーダンスを６００オームに合わせる。通信中の交流インピーダンスを合わせるための回路である。
【００１９】
ノイズ除去回路１５６は、通信回線１３０からの雷サージ、電磁ノイズなどを抑制し、逆に通信回線１３０を介して、ファクシミリ装置１００のノイズが送出されることを防ぐ回路である。ＣＩ検知回路１０８は、通信回線１３０に接続されており、通信回線から受信した呼出信号（以下では、「ＣＩ信号」と称する。）を検知する。ＣＩ検知回路１０８は、通信回線からのＣＩ信号を検知すると、そのことを示すＣＩ検知信号１０９をＳＯＣ１０１に対して送信する。ＳＯＣ１０１は、ＣＩ検知信号１０９に基づいて、通信回線１３０からＣＩ信号の着信があったか否かを判断することができる。
【００２０】
Ｈリレー１１０は、フック検知回路１１７を介して接続される外付けの電話機１２８をＤＣ電源１１３あるいは通信回線１３０に接続するための回路である。Ｈリレー１１０は、切替手段の一例であって、外付けの電話機１２８を通信回線１３０へ接続した接続状態と、通信回線１３０から切断した切断状態との間の切り替えを行う。また、Ｈリレー１１０は、Ｈリレー駆動信号１１１を用いて、ＳＯＣ１０１によって制御される。なお、図１に示すように、Ｈリレー１１０で電話機が通信回線１３０から切り離されている場合、ＣＩ着信しても電話機は鳴動しない。いわゆるファクシミリ装置１００の無鳴動着信状態となる。
【００２１】
ＤＣ電源１１３は、電流をフック検知回路１１７に対して供給する回路である。フック検知回路１１７は、検知手段の一例であり、電話機１２８と接続されており、電話機１２８のオフフック又はオンフックを検知する回路である。フック検知回路１１７は、電話機１２８のオフフック又はオンフックの検知結果を、フック検知信号１１４を用いてＳＯＣ１０１へ伝達する。ＳＯＣ１０１は、フック検知信号１１４に基づいて、電話機１２８におけるフックの状態を判定することができる。フック検知回路１１７は、Ｈリレー１１０によって、通信回線１３０に直接接続された場合、及びＤＣ電源１１３に接続された場合の何れも、電話機１２８に流れる電流を検知する。これにより、フック検知回路１１７は、電話機１２８におけるオフフック又はオンフックの状態を検知する。
【００２２】
擬似ＣＩ送出回路１１６は、擬似ＣＩ信号を電話機１２８に対して送出する回路である。擬似ＣＩ信号とは、通信回線１３０を介して相手側装置からのＣＩ着信があった場合に、回線から切断された状態にある電話機１２８を鳴動させるために、電話機１２８に対して送られる信号である。擬似ＣＩ送出回路１１６は、ＳＯＣ１０１からの擬似ＣＩ駆動信号１１５による送出指示に応じて、擬似ＣＩ信号を電話機１２８に対して送出する。
【００２３】
本実施形態において、ファクシミリ装置１００は、通信回線１３０を介してＶｏＩＰアダプタ１２４と接続されている。ＶｏＩＰアダプタ１２４は、３００〜３４００Ｈｚの音声帯域周波数のファクシミリ又は電話機の送信信号に対して、ＰＣＭ符号化等を施すともに、ＳＩＰ等のプロトコルを用いてＩＰネットワークへ送信する。本実施形態では、ＶｏＩＰアダプタ１２４からの出力信号は、一例として、ブロードバンドルータ１２５及び回線終端装置１２６を介して、光回線網１２７のＩＰネットワークに対して送信される。一方で、ＶｏＩＰアダプタ１２４は、光回線網１２７から受信した信号を、３００〜３４００Ｈｚの音声帯域周波数のファクシミリ又は電話機の信号に変換する。さらに、当該信号を通信回線１３０を介してファクシミリ装置１００へ送信する。また、ＶｏＩＰアダプタ１２４は、入力された信号からダイヤルパルスを認識し、又はファクシミリ装置１００に外付けされた電話機１２８におけるフッキング等を認識する機能を有する。このＶｏＩＰアダプタは、一般的にターミナルアダプタ（以下、ＴＡと称する。）とも呼ばれ、電話機やファクシミリ装置をデジタル回線に接続するためのアダプタの一種である。
【００２４】
＜回線捕捉部による直流インピーダンス調整＞
次に、図２及び図３を参照して、ファクシミリ通信をするために選択される直流捕捉を行う場合の直流の電圧−電流特性を表わすＤＣ−ＶＩ特性カーブについて説明する。各グラフは、縦軸に電圧値を示し、横軸に電流値を示す。図２の２０１は、回線電流が少ない時にはインピーダンスが高く、回線電流が大きい時にはインピーダンスが低くなるＤＣ−ＶＩ特性例である。例えば、回線電流が２０ｍＡの時には、直流抵抗は、見かけ上約９００Ωになるが、回線電流が１２０ｍＡの時には、見かけ上の直流抵抗は約１６７Ωになる。２０２は、直流抵抗が、回線電流の大小にかかわらず、約３００ΩにしたＤＣ−ＶＩ特性例である。
【００２５】
図３は、図２よりも全体的あるいは局部的に抵抗値を高くしたＤＣ−ＶＩ特性の例である。３０１は、電流の増加に従って、直流抵抗値が増えるＤＣ−ＶＩ特性例である。例えば１２０ｍＡの時には、２００Ω程度の直流抵抗であるが、電流が２００ｍＡの時には、直流抵抗値が約１ＫΩとなる。３０２は、回線電流の大小にかかわらず、直流抵抗が大きめの１ＫΩ程度となる。
【００２６】
＜回線捕捉制御＞
次に、図４を参照して、本実施形態に係るファクシミリ装置の回線捕捉制御に関する処理手順について説明する。以下で説明する処理は、ＳＯＣ１０１がメモリ１４０に格納された制御プログラムを読み出して実行することにより実現される。なお、以下では、ＣＩ信号を受信した際に回線を捕捉したにもかかわらず、その後も受信する残留ＣＩ信号に対する制御について説明する。
【００２７】
まず、Ｓ６０１において、ＣＩ検知回路１０８が回線側からのＣＩ信号を検知すると、自動受信動作に入り、ＳＯＣ１０１は、ＳＤＡＡ１０４の回線捕捉部１０５によって直流捕捉回路１５２を制御して、直流回線捕捉を開始する。続いて、Ｓ６０２において、ＳＯＣ１０１は、直流捕捉する場合に直流インピーダンスが高くなるＤＣ−ＶＩ特性を選択する。ここでは、図３の３０２のように回線電流の上限にかかわらず、２０２よりも全体的にインピーダンスの高い（以下、ハイインピーダンス（第１インピーダンス）と称する。）ＤＣ−ＶＩ特性を選択する。なお、３０１に示すように、回線電流が高い部分で局部的にインピーダンスが高くなるＤＣ−ＶＩ特性を選択してもよい。本実施形態によれば、このように、直流捕捉する場合にインピーダンスの高いＤＣ−ＶＩ特性を選択することにより、残留ＣＩ信号による影響で直流捕捉回路並びにその周辺回路がダメージを受け、故障の原因になる可能性を低減する。
【００２８】
次に、Ｓ６０３において、回線捕捉部１０５は、選択されたＤＣ−ＶＩ特性に従って回線を捕捉する。続いて、Ｓ６０４において、ＳＯＣ１０１は、タイマをスタートさせ、回線を捕捉してからの経過時間を計時する。Ｓ６０５において、ＳＯＣ１０１は、Ｓ６０４で計時している時間と、回線補足した後に検知した回線上の電流又は電圧とを用いて、当該検知結果が予め設定された閾値１以下（第１閾値以下）の状態を一定時間継続するか否かを判定する。ここでは、回線補足したにもかかわらず、回線側からのＣＩ信号の発生が収まっているかどうか、即ち、一定時間内に残留ＣＩ信号の発生が終了しているかどうかを判定している。ここで、当該検知結果が一定時間の間、閾値１以下の場合は、Ｓ６１２へ進み、閾値１を超える場合は、Ｓ６０６へ進む。閾値については後述する。
【００２９】
Ｓ６０６において、ＳＯＣ１０１は、回線補足した後に回線上の電流又は電圧を検知して、当該検知結果が予め設定された閾値２以上（第２閾値以上）であるか否かをを判定する。閾値２は、閾値１よりも高い電流又は高い電圧に設定されている。当該検知結果が閾値２以上の場合はＳ６０７へ進み、閾値２未満の場合はＳ６０８へ進む。Ｓ６０７において、ＳＤＡＡ１０４は、Ｓ６０６で電流又は電圧が閾値２以上になったため、回線を開放する。この回線の開放は、残留ＣＩ信号によりＳＤＡＡ１０４及び周辺回路が、ダメージを受けることを防止するために行われる。その後、Ｓ６２０において、エラー終了として履歴、即ち日時と、残留ＣＩが一定時間以上確認されたという現象を示す情報とをメモリに記憶し、処理を終了する。
【００３０】
一方、Ｓ６０８において、ＳＯＣ１０１は、閾値１を超える残留ＣＩ信号の発生が終了せず、かつ、閾値２を超える残留ＣＩ信号が発生していない時間が一定時間経過したか否かを判定する。一定時間経過後はＳ６０９へ進み、一定時間経過前はＳ６０５へ戻る。Ｓ６０９において、ＳＯＣ１０１は、上記一定時間Ｓ６０４でスタートしたタイマを停止する。続いて、Ｓ６１０において、ＳＤＡＡ１０４は、回線を開放する。さらに、Ｓ６１１において、ＳＯＣ１０１は、エラー終了として、履歴、即ち、日時と、残留ＣＩ信号が一定時間以上確認されたという現象を示す情報とをメモリに記憶し、処理を終了する。
【００３１】
一方Ｓ６０５で当該検知結果が閾値１以下の状態を一定時間継続したと判定すると、Ｓ６１２において、ＳＯＣ１０１は、残留ＣＩ信号の発生が終了し、ＤＣ−ＶＩ特性を通常状態に制御する。具体的には、ＳＯＣ１０１は、２０２に示される低インピーダンス（第２インピーダンス）ＤＣ−ＶＩ特性を選択する。公衆回線に接続される場合には、その公衆回線に接続される端末機器の技術基準に従ったＤＣ−ＶＩ特性が選択される。即ち、ＶｏＩＰアダプタなど技術基準が明確でないものに対して接続される端末機器のＤＣ−ＶＩ特性は、ＶｏＩＰアダプタなどがオフフックと判断できれば、ハイインピーダンスのＤＣ−ＶＩ特性に制御されても通信がうまくいく場合もある。しかし、公衆回線などの技術基準が明確に定められたところに対して接続される場合には、その技術基準に合致したＤＣ−ＶＩ特性に制御されなければいけない。そのために、このＳ６１２で、ＤＣ−ＶＩ特性を変更する。ここで、２０２の代わりに、２０１のような局部的に電流の高い場合に、低インピーダンスのＤＣ−ＶＩ特性を用いてもよい。続いて、Ｓ６１３において、ＳＯＣ１０１は、タイマを停止し、電流、電圧モニタリングを終了し、残留ＣＩ信号の処理を終了する。
【００３２】
次に、図５乃至図７を参照して、回線からのＣＩ信号と、本実施形態による回線捕捉制御のタイミングについて説明する。なお、図５乃至図７において、横軸が時間を示し、縦軸が回線電圧を示している。まず、図５を参照して本実施形態に係る回線捕捉制御のタイミングについて説明する。
【００３３】
ＣＩ信号が回線上に現れると、上記Ｓ６０２に示すように、ＣＩ検知回路１０８が検知して、回線捕捉部１０５が、高いインピーダンスでの回線捕捉を行う。ここで、電圧検知部１５０又は電流検知部１５１は、回線上の電圧又は電流をモニタする。そして、ＳＯＣ１０１は、絶縁素子１０３、モデム１０２を介して、回線上の電圧又は電流を検知する。ＳＯＣ１０１は、電圧又は電流が予め決められた閾値１を超えていると、残留ＣＩが回線上に存在すると判断する。ここで、電流又は電圧が高い値、即ち、閾値１だけで残留ＣＩ信号の有無を判断してもよいし、閾値１の代わりに、閾値１‘と書かれた、電流又は電圧が小さくなる方向での閾値を使用しもよい。残留ＣＩ信号の電流、電圧のモニタで、サンプリングするタイミングによっては、プラス側のピークが取れるとは限らない。そのため、電圧又は電流がマイナス側に振れたときの電流又は電圧の落ち込みで、残留ＣＩ信号が発生していることを検知することも有効である。
【００３４】
或いは、その閾値１と閾値１’の差分が大きい時に、残留ＣＩ信号が発生していると判断してもよい。この閾値１又は閾値１と閾値１‘の差分で残留ＣＩ信号の有無を判断し、その残留ＣＩ信号が、一定期間ないと判断した場合には、回線捕捉部１０５は、図５及びＳ６１２に示すように、通常インピーダンスの回線捕捉へと制御する。ここで、残留ＣＩ信号の振幅ＡＡは、閾値１と閾値１’の差分よりも大きなレベルである。図５では、残留ＣＩ信号が発生する場合に区間Ａの部分に現れるべき残留ＣＩ信号がないことが図示されている。これに対して図７では、残留ＣＩ信号が区間Ａでも発生している。
【００３５】
図６は、Ｓ６０３での回線補足後に、電流又は電圧が、Ｓ６０６の閾値２を超えて、Ｓ６０７の回線開放へと向かう様子を示す。ここで、閾値２の代わりに、閾値２‘と書かれた、電流又は電圧が小さくなる方向での閾値を使用してもよいし、その閾値２と閾値２’の差分が大きい時に、残留ＣＩ信号が存在すると判断してもよい。このように残留ＣＩ信号が大きく、ＳＤＡＡ１０４及びその周辺回路に対してダメージを与える可能性がある場合、本実施形態では、Ｓ６０７で回線を開放し、ＳＤＡＡ１０４及び周辺回路への影響を防止する。ここで、残留ＣＩ信号の振幅ＢＢは、閾値２と閾値２’の差分よりも大きなレベルである。
【００３６】
図７は、ハイインピーダンスでの回線捕捉（Ｓ６０２）にもかかわらず、残留ＣＩ信号が無くならず、Ｓ６０５の判定で一定時間閾値１の判定でＮＯとなり、一定時間経過し（Ｓ６０８のＹＥＳ）、その後ＳＤＡＡ１０４が回線開放（Ｓ６１０）する様子を示す。このように残留ＣＩ信号が、一定期間以上継続して残る場合には、ＳＤＡＡ１０４は、回線を開放して、ＳＤＡＡ１０４及び周辺回路への影響を防止する。
【００３７】
＜第２の実施形態＞
次に、図８及び図９を参照して、第２の実施形態に係る回線捕捉制御について説明する。図８は、後述する図９のフローチャートのＳ１１０１の判定で、ＶｏＩＰアダプタに接続されている場合に、回線インピーダンスをハイインピーダンスのままに設定する様子を示している。即ち、本実施形態では、ファクシミリ装置がＶｏＩＰアダプタに接続されているか否かを確認し、接続されていれば、残留ＣＩ信号が発生しなくなった後でも、ハイインピーダンスを維持する。
【００３８】
以下では、図９に示すフローチャートにおいて、図４に示すフローチャートと同様の処理については同一のステップ番号を付し、説明を省略する。即ち、以下では、Ｓ１１０１の処理について説明する。なお、以下で説明する処理は、ＳＯＣ１０１がメモリ１４０に格納された制御プログラムを読み出して実行することにより実現される。
【００３９】
残留ＣＩ信号の発生が収まると、Ｓ１１０１において、ＳＯＣ１０１は、ファクシミリ装置１００がＶｏＩＰアダプタに接続しているかどうかを示すファクシミリ装置１００の設定を確認し、設定がＶｏＩＰアダプタであるか否かを判定する。即ち、ユーザ設定が、接続回線ＴＡ（ターミナルアダプタ）設定になっている場合はＳ６１３へ進み、ハイインピーダンスを維持し、そうでない場合はＳ６１２に進み、通常のインピーダンスに戻す。
【００４０】
このように、ファクシミリ装置が、公衆回線に接続されていない場合は、必ずしも公衆回線接続のための技術基準に従ったインピーダンスで回線を捕捉する必要はない。したがって、図９のフローチャートでは、その通常使用されるＤＣ−ＶＩ特性に変更するという制御をパスすることを可能にしている。
【００４１】
＜第３の実施形態＞
次に、図１０を参照して、第３の実施形態に係る回線捕捉制御について説明する。本実施形態は、上記第２の実施形態で説明した図９のＳ６１１を抜けた後に回線捕捉を再び行う、いわゆるリトライするようにした場合の実施例である。なお、図１０において、Ｓ１２０１はＳ６０１と同等、Ｓ１２０３乃至Ｓ１２２０は、図９のＳ６０３乃至Ｓ６２０と同等である。したがって、以下では、Ｓ１２０２について説明する。なお、以下で説明する処理は、ＳＯＣ１０１がメモリ１４０に格納された制御プログラムを読み出して実行することにより実現される。
【００４２】
ハイインピーダンスのＤＣ−ＶＩ特性で回線捕捉する場合、ＶｏＩＰアダプタによっては、オフフック検知できない場合も考えられる。そのため、本実施形態では、図９のＳ６１１の処理に続いて、リトライ処理としてＳ１２０１から処理を開始する。Ｓ１２０２において、ＳＯＣ１０１は、通常の通信で使用されるＤＣ−ＶＩ特性、例えば、２０２よりは高いが、前回の回線捕捉（Ｓ６０２）で選択したインピーダンス（３０２）よりも低いインピーダンス（図１３の１５０２、第３インピーダンス）を選択する。これにより、ＶｏＩＰアダプタでオフフックが検知できるようになる。よって、図９のＳ６０２で選択したＤＣ−ＶＩ特性のミスマッチを是正することができる。
【００４３】
図１３の１５０２は、Ｓ６０２で選択したインピーダンスよりも低いインピーダンスの例である。２０２よりも全体的に抵抗値、即ち、直流インピーダンスを高くし、３０２よりは、全体的あるいは局部的に抵抗値、即ち、直流インピーダンスを低くしたＤＣ−ＶＩ特性を示す。図１４の１６０１は、回線電流が高い部分、例えば２００ｍＡで局部的に、２０２よりは高く、３０１よりは、低いインピーダンスを設定した例を示す。１５０２の代わりに１６０１のようなＤＣ−ＶＩ特性を、使用してもよい。ここで、閾値１、閾値２は、図４又は図９の閾値１あるいは閾値２と変えてもよい。
【００４４】
＜第４の実施形態＞
次に、図１１を参照して、第４の実施形態に係る回線捕捉制御について説明する。本実施形態は、上記第２の実施形態で説明した図９のＳ６２０を抜けた後に回線捕捉を再び行う、いわゆるリトライするようにした場合の実施例である。なお、図１１において、Ｓ１３０２が、図１０と違うのみで、その他は、図１０のフローチャートと同等である。Ｓ６０２で選択したハイインピーダンスが、十分に高くなく、残留ＣＩ信号によりダメージを受ける可能性がある場合に、それを、補正するようにしたものである。なお、以下で説明する処理は、ＳＯＣ１０１がメモリ１４０に格納された制御プログラムを読み出して実行することにより実現される。
【００４５】
図４又は図９のＳ６２０を抜けた後に回線捕捉を再び行うため、リトライ処理としてＳ１２０１から処理を開始する。Ｓ１３０２において、ＳＯＣ１０１は、前回の回線捕捉（Ｓ６０２）よりも高いインピーダンス（１６０２、第４インピーダンス）となるように、ＤＣ−ＶＩ特性を選択する。図１４の１６０２は、３０２よりも、全体的に抵抗値、即ち、直流インピーダンスを低くしたＤＣ−ＶＩ特性の例を示す。１６０１は、３０１よりも、局部的に抵抗値、即ち直流インピーダンスを低くしたＤＣ−ＶＩ特性の例を示す。これにより、本実施形態によれば、Ｓ６０２で選択したＤＣ−ＶＩ特性のミスマッチを是正することができる。尚、１６０２の代わりに、１６０１のような局部的に抵抗値、即ち直流インピーダンスを低くしたＤＣ−ＶＩ特性を使用してもよい。
【００４６】
＜第５の実施形態＞
次に、図１２を参照して、第５の実施形態に係る回線捕捉制御について説明する。本実施形態では、図９のＳ６１０の回線開放を行わずに、Ｓ６０９から遷移するＳ１４０２でインピーダンスを変えて、回線捕捉制御する。図１２において、Ｓ６０１乃至Ｓ６２０は、図９と同等、Ｓ１４０３乃至Ｓ１４２０は、図９のＳ６０４乃至Ｓ６２０と同等である。なお、以下で説明する処理は、ＳＯＣ１０１がメモリ１４０に格納された制御プログラムを読み出して実行することにより実現される。
【００４７】
Ｓ６０９においてタイマを停止した後に、Ｓ１４０２において、ＳＯＣ１０１は、通常の通信で使用されるＤＣ−ＶＩ特性、例えば、２０２よりは高いが、前回の回線捕捉（Ｓ６０２）で選択したインピーダンス（３０２）よりも低いインピーダンス（図１３の１５０２、第３インピーダンス）を選択する。その後、Ｓ１４０３に進み、ＳＯＣ１０１は、タイマをスタートする。これにより、インピーダンス変更の際、回線開放しないことにより、１回目の着呼で、回線捕捉のインピーダンスを変えながら、ＳＤＡＡ１０４及びその周辺回路にダメージを与えずに、回線捕捉を行うことができる。
【００４８】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005856390.tif 000002
【図２】
0005856390.tif 000003
【図３】
0005856390.tif 000004
【図４】
0005856390.tif 000005
【図５】
0005856390.tif 000006
【図６】
0005856390.tif 000007
【図７】
0005856390.tif 000008
【図８】
0005856390.tif 000009
【図９】
0005856390.tif 000010
【図１０】
0005856390.tif 000011
【図１１】
0005856390.tif 000012
【図１２】
0005856390.tif 000013
【図１３】
0005856390.tif 000014
【図１４】
0005856390.tif 000015